(57)【要約】【課題】複雑な制御回路を備えずに、発電部が発電した発電電力を蓄電部に充電する際に電力変換効率の高い充電装置を提供する。【解決手段】充電装置１は、発電部２１に並列接続されたキャパシタ２２と、キャパシタ２２の電圧値と発電部２１の最大電力発電時電圧値とが略同一になるように出力電力を断続制御するスイッチ部３と、スイッチ部３の出力電力を蓄電する蓄電器４とを備え、発電部２１の最大出力電力をスイッチ部３から蓄電部４に供給する。【選択図】図１
2010207062.tif 000002
【特許請求の範囲】
【請求項１】
発電部に並列接続されたキャパシタと、
前記キャパシタの電圧値と前記発電部の最大電力発電時電圧値とが略同一になるように出力電力を断続制御するスイッチ部と、
前記スイッチ部の出力電力を蓄電する蓄電器と
を備えることを特徴とする充電装置。
【請求項２】
前記スイッチ部は、
前記充電部の電圧値と、前記最大電力発電時電圧値と一致する基準電圧の電圧値とをヒステリシス比較するヒステリシスコンパレータと、
前記キャパシタの電圧を所定値に電圧制御する電源回路と、
前記ヒステリシスコンパレータの比較結果に応じて、前記電源回路と前記蓄電器とを接続するスイッチ素子と
を備えることを特徴とする請求項１に記載された充電装置。
【請求項３】
前記発電部は、太陽電池であり、
前記キャパシタは、電気二重層コンデンサであり、
前記電源回路は、ロー・ドロップアウト電源回路であること
を特徴とする請求項２に記載された充電装置。
【発明の詳細な説明】
【技術分野】
【０００１】
本発明は、充電装置に関する。
【背景技術】
【０００２】
従来、太陽電池が発電した発電電力を効率よく取り出すためには、太陽電池の発電特性（Ｉ−Ｖ特性）に適応させる必要があった。
特許文献１には、日射強度が激しく変動することにより太陽電池の動作点が変動して、短絡電流点へ移行する状態が生じた場合には、移行検出後一定時間定電圧制御を行い、その後通常の最大出力電力点追従制御を行うようにして、速やかに安定点へ復帰するように制御する定電圧制御方式が開示されている（図１２参照）。
【先行技術文献】
【特許文献】
【０００３】
【特許文献１】特開２００５−７３３２１号公報（段落［０００６］，［０００９］〜［００１０］，［００１３］）
【発明の概要】
【発明が解決しようとする課題】
【０００４】
しかしながら、従来の定電圧制御方式は、太陽電池が発電した発電電力を効率よく取り出すために制御回路を備えて、複雑な制御を行っている。例えば、特許文献１の系統連系型インバータ１００２が備える制御回路（インバータ制御部１００４）は、太陽電池１００１の発電電力（直流電力）を交流電力に変換するインバータ１００３に、出力電流指示値（電流定数）ｋを供給することによって，太陽電池１００１から取り出す電流の調節を行うものである。
そのため、インバータ制御部１００４は、使用する太陽電池１００１の仮の目標電圧を記録し、通常起動時には起動時の電圧である開放電圧から微少電圧幅だけ減じた値を目標電圧とする機能（段落［０００９］）や、起動時以外は太陽電池１００１から発電電力をより多く取り出せるように目標電圧を決定する機能（段落［０００９］）、通常の最大出力電力点追従制御と定電圧制御との間の移行をスムーズに行う機能（段落［００１３］）など、複雑な機能を有する。
【０００５】
このように、従来の定電圧制御方式は、電力測定や制御演算を実行する複雑な制御回路（インバータ制御部１００４）を備えるため、制御回路における自己消費電力が大きくなる。そのため、従来の定電圧制御方式は、太陽電池を室内などの暗い場所で用いた場合、入力電力に対する出力電力の効率を示す電力変換効率が低下するという問題点がある。
これは、太陽電池だけでなく、他の発電部材でも問題点となることである。
【０００６】
本発明は、以上のような問題を解決するためになされたものであり、複雑な制御回路を備えずに、発電部が発電した発電電力を蓄電部に充電する際に電力変換効率の高い充電装置を提供することを課題とする。
【課題を解決するための手段】
【０００７】
前記課題を解決するために、本発明の請求項１に記載の充電装置は、発電部に並列接続されたキャパシタと、前記キャパシタの電圧値と前記発電部の最大電力発電時電圧値とが略同一になるように出力する電力を断続制御するスイッチ部と、前記スイッチ部が出力した電力を蓄電する蓄電部とを備える構成とした。
【０００８】
かかる構成によれば、発電部に並列接続されたキャパシタの電圧値と、発電部の最大電力発電時電圧値とが略同一になったときに電流を流すスイッチ部を備えるため、充電装置は、発電部の最大出力電力でスイッチ部から蓄電部、あるいは負荷に電力を供給することができる。
【０００９】
かかる構成によれば、請求項２に記載の充電装置は、請求項１に記載の充電装置において、前記スイッチ部が、前記充電部の電圧値と、前記最大電力発電時電圧値と一致する基準電圧の電圧値とをヒステリシス比較するヒステリシスコンパレータと、前記キャパシタの電圧を所定値に電圧制御する電源回路と、前記ヒステリシスコンパレータの比較結果に応じて、前記電源回路と前記蓄電部とを短絡／開放するスイッチ素子とを備えることを特徴とする。
【００１０】
また、発電部が発電した発電電力を充電（電荷を蓄積）するキャパシタと、電圧値を比較して入出力制御を行うスイッチ部と、スイッチ部が出力した電力を蓄電する蓄電部からなる簡単な回路構成で実現することができ、各構成部材の自己消費電力を少なくすることができる。
【００１１】
さらに、請求項３に記載の充電装置は、請求項２に記載の充電装置において、前記発電部が太陽電池であり、前記キャパシタが電気二重層コンデンサであり、前記電源回路がロー・ドロップアウト電源回路であることを特徴とする。
【発明の効果】
【００１２】
本発明は、以下に示す優れた効果を奏するものである。
請求項１〜３に記載の発明によれば、充電装置は、簡単な回路構成で実現することができるため、自己消費電力を少なくすることができ、充電装置は電力変換効率の低下を抑えることができる。
【００１３】
また、請求項１〜３に記載の発明によれば、スイッチ部に入力される入力電力は発電部の最大出力電力であり、そして、スイッチ部から出力するまでに消費される電力は、スイッチ部で消費される電力のみである。そのため、充電装置は大きな出力で蓄電部に充電することができる。
【００１４】
請求項２に記載の発明によれば、ヒステリシスコンパレータのヒステリシス比較により、充電部の電圧値が、基準電圧の電圧値（最大電力発電時電圧値）以上の場合に、前記電源回路と前記蓄電部とを短絡することができるため、スイッチ部は最大電力発電時電圧値の出力をすることができる。
【００１５】
請求項３に記載の発明によれば、太陽電池が発電した発電電力を電気二重層コンデンサに充電する。そして、入力電圧と出力電圧の差が小さい特徴をもつＬＤＯ（Low DropOut：ロー・ドロップアウト）電源回路を備えるため、太陽電池の最大電力発電時電圧値に対して低い電圧降下で、負荷に電力を供給することができる。
【００１６】
また、請求項３に記載の発明によれば、太陽電池の発電特性（Ｉ−Ｖ特性）に適応させることができるため、太陽電池が発電した発電電力を効率よく取り出し、蓄電部に充電することができる。
【図面の簡単な説明】
【００１７】
【図１】本実施形態に係る充電装置の回路図である。
【図２】本実施形態に係る太陽電池の回路図である。
【図３】本実施形態に係る太陽電池の発電特性（Ｉ−Ｖ特性）図である。
【図４】本実施形態に係る昇圧チョッパ回路図である。
【図５】（ａ）本実施形態に係る充電装置のα点の入力電圧Ｖinの変化を示すタイムチャートである。（ｂ）本実施形態に係る充電装置のヒステリシスコンパレータが出力する信号の変化を示すタイムチャートである。（ｃ）本実施形態に係る充電装置の電圧レギュレータの出力電圧Ｖregと蓄電部４の蓄電部電圧Ｖbatの変化と示すタイムチャートである。
【図６】本実施形態に係る太陽電池の回路図である。
【図７】本実施形態に係る直流電源回路図である。
【図８】本実施形態に係る降圧チョッパ回路図である。
【図９】本実施形態に係るシャント・レギュレータ回路図である。
【図１０】本実施形態に係るシリーズ・レギュレータ回路図である。
【図１１】本実施形態に係るＬＤＯ電源回路図である。
【図１２】従来の定電圧制御方式の回路図である。
【発明を実施するための形態】
【００１８】
［実施形態］
（構成）
図１は、本実施形態に係る充電装置の回路図である。充電装置１は、電力入力部２と、充電する蓄電部４と、内部に備えるスイッチ素子のＯＮ／ＯＦＦにより電力入力部２と蓄電部４との短絡／開放を切り替えるスイッチ部３とを備える。
電力入力部２は、発電する太陽電池２１Ａ（発電部２１）と、太陽電池２１Ａと並列に接続されたキャパシタ２２とを備え、太陽電池２１Ａが発電した電圧でキャパシタ２２に充電するようになっている。ここで、太陽電池２１Ａには一定の光量の光が照射されているものとする。
【００１９】
太陽電池２１Ａの等価回路を図２に示す。太陽電池２１Ａは、電流源ＩphとダイオードＤとの並列回路と、抵抗器Ｒとの直列回路で表現され、電流ＩAが流れるとき、電圧ＶAが発生する。
太陽電池２１Ａは、電流源Ｉphの電流値が光量によって増減し、開放電圧ＶoutがダイオードＤの順方向電圧となる。十分な光量があるときはダイオードＤのオン電圧が所定の開放電圧Ｖoutとなり、開放電圧Ｖoutは光量に依存する。
また、太陽電池２１Ａは、抵抗器Ｒによって決まる電流電圧値に応じた最大出力電力点Ｐmaxをもつ。この最大出力電力点（maximum power point）のときの電流値をｉmax、電圧値をｖmaxとする。
【００２０】
図３は、太陽電池２１ＡのＩ−Ｖ特性（電流電圧特性）を図示しており、縦軸は電流Ｉを示し、横軸は電圧Ｖを示している。太陽電池２１Ａに所定の光量の太陽光が照射され、光エネルギーが入力されている場合の太陽電池２１Ａには、電流Ｉ＝０のとき、開放電圧ｖOCが発生し、電圧Ｖ＝０のとき、短絡電流ｉSCが流れる。なお、この短絡電流ｉSCは、光量に応じて値が増減する。
太陽電池２１Ａは、Ｉ＝０から徐々に電流を増加すると、抵抗器Ｒ（太陽電池の内部抵抗）により、開放電圧ｖOCから徐々に電圧が低下する。電圧Ｖと電流Ｉとの積が最大となる点が最大出力電力点Ｐmaxである。
【００２１】
キャパシタ２２は、スイッチ部３がＯＦＦのときは、太陽電池２１Ａが発電した電圧Ｖで充電され、キャパシタ２２の電圧値ｖCが上昇する。スイッチ部３がＯＮのときには、キャパシタ２２は充電された電荷を放電し、キャパシタ２２の電圧値ｖCが低下する。
スイッチ部３のＯＮ／ＯＦＦの切り換えは、キャパシタ２２の電圧値ｖCと、スイッチ部３に設定されたオン電圧値ｖONおよびオフ電圧値ｖOFFとに応じて行われる。ここで、オン電圧値ｖONと、オフ電圧値ｖOFFと、最大出力電力点の電圧値ｖmaxとは、ｖOFF＜ｖmax＜ｖONとなるように設定される。
これにより、充電装置１は太陽電池２１Ａの最大出力電力点近傍での動作が可能になる。
【００２２】
まず、スイッチ部３がＯＦＦのとき、太陽電池２１Ａの発電電力がキャパシタ２２に供給される。これにより、キャパシタ２２の電圧値ｖCは上昇し、電圧値ｖmaxを超える（ｖC＞ｖmax）。
そして、キャパシタの電圧値ｖCがオン電圧値ｖONと一致したときに、スイッチ部３はＯＮになり、電力入力部２と蓄電部４とを接続する（ｖC＝ｖON：スイッチ部３がＯＮ）。
スイッチ部３がＯＮとなったとき、電力入力部２と蓄電部４とが直列接続され、キャパシタ２２が放電した電流が蓄電部４側に流れ、蓄電部４が充電される。これにより、キャパシタの電圧値ｖCは下降し、電圧値ｖmaxより小さくなる（ｖC＜ｖmax）。
そして、キャパシタの電圧値ｖCがオフ電圧値ｖOFFと一致したときに、スイッチ部３はＯＦＦになり、電力入力部２と蓄電部４とを切断する（ｖC＝ｖOFF：スイッチ部３がＯＦＦ）。
そしてまた、太陽電池２１Ａの発電電力がキャパシタ２２に供給され、キャパシタ２２の電圧値ｖCが上昇することで、キャパシタ２２の電圧値ｖCが電圧値ｖmaxの近傍で増減し、キャパシタ２２が充電される。
以上の動作を繰り返すことで、充電装置１は、最大出力電力点近傍での動作が可能になる。
【００２３】
スイッチ部３は、電圧レギュレータ３１と、可変抵抗３２と、ヒステリシスコンパレータ３３と、基準電圧電源３４と、半導体スイッチ３５とで構成されるものである。
【００２４】
電圧レギュレータ３１は、入力電圧を昇圧または降圧して所定の電圧（制御電圧値ｖctl）を出力するものであり、例えば、図４に示す昇圧チョッパ回路３１Ａで実現可能である。昇圧チョッパ回路３１Ａは、リアクタＬと、キャパシタＣと、ダイオードＤと、スイッチ素子ＳＷで構成され、入力電圧を昇圧した電圧を出力することができる。このときの入力電圧値ｖinと出力電圧値ｖoutの関係は、スイッチ素子ＳＷが短絡している時間ＴONと、スイッチ素子ＳＷが開放している時間ＴOFFとから、数式（１）により表すことができる。
【数１】
2010207062.tif 000003
【００２５】
図１において、電圧レギュレータ３１（昇圧チョッパ回路３１Ａ）は、スイッチ素子ＳＷの短絡／開放時間を制御して、制御電圧値ｖctlを出力するものである。そして、電圧レギュレータ３１は、制御電圧値ｖctlの出力電圧Ｖregを蓄電部４に印加する。そのため、制御電圧値ｖctlを変更することにより、蓄電部４に印加される電圧の設定を変更することができる。
【００２６】
可変抵抗３２は、キャパシタ２２と並列接続され、ボリューム端子をヒステリシスコンパレータ３３の正転入力端子と接続し、可変抵抗３２にかかる電圧を分圧比ｎで分圧するものである。これにより、正転入力端子側の電位は“入力電位Ｖin／ｎ”となる。
基準電圧電源３４は、一端をヒステリシスコンパレータ３３の反転入力端子と接続し、他端を接地するように接続されている。
【００２７】
ヒステリシスコンパレータ３３は、正転入力端子側の電位と、反転入力端子側の電位とを比較し、正転入力端子側の電位の方が高くなったときにＨｉｇｈレベルの信号を出力し、反転入力端子側の電位の方が高くなったときにＬｏｗレベルの信号を出力するものである。
このヒステリシスコンパレータ３３は、上側値（入力最大電圧値ｖinmax）と下側値（入力最小電圧値ｖinmin）の電位差がＶhysのヒステリシス特性をもち、正転入力端子側の電位と、反転入力端子側の電位とを比較する。そして、正転入力端子側の電位が、反転入力端子側の電位よりさらにヒステリシス特性に基づく電位だけ高くなったときに、ヒステリシスコンパレータ３３は、出力する信号をＬｏｗレベルからＨｉｇｈレベルに切り替える。さらにこの状態で、正転入力端子側の電位が、反転入力端子側の電位よりさらにヒステリシス特性に基づく電位だけ低くなったときに、ヒステリシスコンパレータ３３は、出力する信号をＨｉｇｈレベルからＬｏｗレベルに切り替える。
【００２８】
ヒステリシスコンパレータ３３が出力する信号をＬｏｗレベルからＨｉｇｈレベルに切り替えるときの正転入力端子側の電位は、上側値（入力最大電圧値ｖinmax）である。この入力最大電圧値ｖinmaxは、反転入力端子側の電位である基準電圧電源３４の基準電圧Ｖrefと、ヒステリシス電圧Ｖhysと、可変抵抗３２の分圧比ｎとから、数式（２）により表すことができる。
【数２】
2010207062.tif 000004
【００２９】
また、ヒステリシスコンパレータ３３が出力する信号をＨｉｇｈレベルからＬｏｗレベルに切り替えるときの正転入力端子側の電位は、下側値（入力最小電圧値ｖinmin）である。この入力最小電圧値ｖinminも同様に、数式（３）により表すことができる。
【数３】
2010207062.tif 000005
【００３０】
半導体スイッチ３５は、ヒステリシスコンパレータ３３からの信号を受け、スイッチのＯＮ／ＯＦＦにより、電圧レギュレータ３１と蓄電部４との短絡／開放を切り替えるものであり、ヒステリシスコンパレータ３３からの信号が、Ｈｉｇｈレベルであれば、短絡（スイッチをＯＮ）し、一方、Ｌｏｗレベルであれば、開放（スイッチをＯＦＦ）するものである。
【００３１】
（充電動作）
図５は、本実施形態に係る充電装置のタイムチャートである。（ａ）は図１のα点に印加される入力電圧Ｖinの変化を示すタイムチャートを示し、（ｂ）はヒステリシスコンパレータ３３が出力する信号の変化を示すタイムチャートを示し、（ｃ）は電圧レギュレータ３１の出力電圧Ｖregの変化を細線で示し、蓄電部４の蓄電部電圧Ｖbatの変化を太線で示すタイムチャートである。
【００３２】
ここで、初期状態（時刻ｔ0のとき）の充電装置１は、キャパシタ２２には電荷が蓄積（充電）されていない状態であり、蓄電部４にはある程度充電されている（満充電ではない）状態であるとする。この状態のときに太陽電池２１Ａに光を照射する。光が照射された太陽電池２１Ａは、発電した電圧でキャパシタ２２に充電する（時刻ｔ0〜ｔ2；図５（ａ））。
そして、電圧レギュレータ３１の出力電圧Ｖregが、設定された目標の電圧値である制御電圧値ｖctlになる（図５（ｃ））。
【００３３】
α点に印加される入力電圧Ｖinが入力最大電圧値ｖinmaxとなったとき（時刻ｔ2）、ヒステリシスコンパレータ３３は出力する信号をＬｏｗレベルからＨｉｇｈレベルに切り替え、Ｈｉｇｈレベルの信号を出力する。そして、半導体スイッチ３５はヒステリシスコンパレータ３３からＨｉｇｈレベルの信号を受け、電圧レギュレータ３１と蓄電部４との接続を“開放”から“短絡”に切り替える（時刻ｔ2；図５（ａ），（ｂ），（ｃ））。これにより、蓄電部４に電圧レギュレータ３１の出力電圧Ｖreg（＝ｖctl）が印加され、蓄電部４は充電する（時刻ｔ2〜ｔ3；図５（ｃ））。このとき、発電部２１から流れる電流Ｉが増加するため、α点に印加される入力電圧Ｖinは下降する（時刻ｔ2〜ｔ3；図５（ａ））。
【００３４】
α点に印加される入力電圧Ｖinが入力最小電圧値ｖinminとなったとき（時刻ｔ3）、ヒステリシスコンパレータ３３は出力する信号をＨｉｇｈレベルからＬｏｗレベルに切り替え、Ｌｏｗレベルの信号を出力する。そして、半導体スイッチ３５はヒステリシスコンパレータ３３からＬｏｗレベルの信号を受け、電圧レギュレータ３１と蓄電部４との接続を“短絡”から“開放”に切り替える（時刻ｔ3；図５（ａ），（ｂ），（ｃ））。これにより、蓄電部４は充電されなくなる（時刻ｔ3〜ｔ4；図５（ｃ））。そして、キャパシタ２２は太陽電池２１Ａが発電した発電電力を再び充電するため、α点に印加される入力電圧Ｖinは上昇する（時刻ｔ3〜ｔ4；図５（ａ））。
【００３５】
そしてまた、α点に印加される入力電圧Ｖinが入力最大電圧値ｖinmaxとなったとき、ヒステリシスコンパレータ３３は出力する信号をＬｏｗレベルからＨｉｇｈレベルに切り替え、Ｈｉｇｈレベルの信号を出力する。このように、時刻t2〜t4の動作が繰り返されることで、蓄電部４は徐々に充電し（時刻ｔ4〜；図５（ｃ））、そして蓄電部４の蓄電部電圧Ｖbatは最大充電電圧値（＝ｖctl）となる（時刻ｔ7；図５（ｃ））。
【００３６】
そして、蓄電部４に負荷が接続されることにより、蓄電部４は充電した電荷を放電し、放電後にまた充電処理が行われる。
【００３７】
本実施形態によれば、スイッチ部３を電源入力部２と蓄電部３との間に設け、両者の接続を制御しているので、キャパシタ２２の電圧は最大出力電力点の電圧値ｖmax近傍を保つように制御される。
このような制御により、太陽電池２１Ａは常に最大出力電力Ｐmaxでキャパシタ２２への充電を行い、その最大出力電力で適宜蓄電部４に充電されることとなる。
この結果、本実施形態によれば、少ない部品構成で、最大出力電力点追従機能を持った充電装置を実現することが可能となる。
【００３８】
本実施形態によれば、キャパシタ２２には、随時、太陽電池２１Ａが発電した最大出力電力Ｐmaxで充電され、最大出力電力点の電圧値ｖmaxの近傍の電圧がかけられる。スイッチ部３が電力入力部２と蓄電部４とを短絡することで、ｖmaxの電圧を蓄電部４にかけて充電することができる。
また、本実施形態によれば、スイッチ部３が電力入力部２と蓄電部４とを短絡することで、ｖmaxの近傍の電圧を出力することができ、最大出力電力点追従装置と同じ機能をもつ回路を、少ない部品で構成することができる。
【００３９】
（変形例）
本発明は前記実施形態に限定されるものではなく、例えば以下のような種々の変形が可能である。
【００４０】
本実施形態に係る充電装置の電力入力部２の発電部２１は図３のＩ−Ｖ特性を示す電圧を発生すればよい。例えば、図６に示す太陽電池の等価回路の発電部２１Ｂや、図７に示す回路構成の直流電源回路２１Ｃ、熱電変換素子、圧電素子（例えば、ピエゾ素子）、受信した電波を直流電流に整流変換する発電素子（例えば、レクテナ）等の発電部材であってもよい。
【００４１】
蓄電部４は、キャパシタ、電気二重層コンデンサ、リチウムイオンキャパシタ、リチウムイオン電池、ニッケル水素電池、ニカド電池、鉛蓄電池、固体電池、フィルム電池などの二次電池であってもよい。
【００４２】
キャパシタ２２は電気二重層コンデンサとしたが、電解コンデンサなどでもよい。また、キャパシタ２２は一つとしたが、複数のキャパシタをキャパシタ２２と並列接続させて設けてもよい。
【００４３】
また、電圧レギュレータ３１は、入力電力を電圧に変換制御して一定の電圧を出力するものであればよい。本実施形態では昇圧チョッパ回路３１Ａを用いたが、例えば、降圧チョッパ回路３１Ｂ（図８）やシャント・レギュレータ３１Ｃ（shunt regulator）（図９）、シリーズ・レギュレータ３１Ｄ（series regulator）（図１０）などであってもよい。
【００４４】
シャント・レギュレータ３１Ｃの等価回路（図９）は、ツェナーダイオードＤとキャパシタＣとの並列回路と、抵抗器Ｒとの直列回路で表現されるものであり、抵抗器Ｒの一端がツェナーダイオードＤのカソードとキャパシタＣの一端とに接続され、ツェナーダイオードＤのアノードとキャパシタＣの他端とが接地している。
γ点に印加される出力電圧ＶoutでキャパシタＣが充電される。出力電圧ＶoutがツェナーダイオードＤのツェナー電圧より大きくなると、カソードからアノード側に電流が流れ、γ点に流れる電流が減少するため、出力電圧Ｖoutはツェナー電圧値で安定する。
【００４５】
他に、電圧レギュレータ３１は、ＬＤＯ（ロー・ドロップアウト）電源回路３１Ｅ（図１１）であってもよい。ＬＤＯ（ロー・ドロップアウト）電源回路３１Ｅは、入出力電圧条件がα点の電圧条件とγ点の電圧条件とに合致し、その電圧差が小さい場合には高効率な動作が可能であり、上記条件下では、本実施形態で用いた昇圧チョッパ回路３１Ａ等の電力変換を行うスイッチングレギュレータよりも、高効率な充電装置の実現が期待できる。
【符号の説明】
【００４６】
１      充電装置
２      電力入力部
３      スイッチ部
４      蓄電部
５      負荷
２１    発電部
２１Ａ  太陽電池
２２    キャパシタ
３１    電圧レギュレータ
３１Ａ  昇圧チョッパ回路
３２    可変抵抗
３３    ヒステリシスコンパレータ
３４    基準電圧電源
３５    半導体スイッチ
Ｖref    基準電圧
Ｖbat    蓄電部電圧
【図１】
2010207062.tif 000006
【図２】
2010207062.tif 000007
【図３】
2010207062.tif 000008
【図４】
2010207062.tif 000009
【図５】
2010207062.tif 000010
【図６】
2010207062.tif 000011
【図７】
2010207062.tif 000012
【図８】
2010207062.tif 000013
【図９】
2010207062.tif 000014
【図１０】
2010207062.tif 000015
【図１１】
2010207062.tif 000016
【図１２】
2010207062.tif 000017